(57)【要約】【課題】マネキン人形自体ではなく、マネキン人形に装着された商品に注目させる。【解決手段】マネキン人形用部材であって、マネキン人形の口唇を模した形状の部分を有して光を透過させる導光部と、マネキン人形の内側から導光部に向かう光を発生する発光部とを備え、マネキン人形の顔面に装着した場合に、発光部が発生した光を、導光部を通じてマネキン人形の外部に射出する。上記マネキン人形用部材は、発光部の発光強度および発光色の少なくとも一方を変化させる制御部を更に備えてもよい。また、上記マネキン人形用部材は、導光部を通じて入射した光信号により、発光部の発光強度および発光色の少なくとも一方を指定する指示を受け付ける受光部を更に備えてもよい。【選択図】図２
2020018602.tif 000002
【特許請求の範囲】
【請求項１】
マネキン人形の口唇を模した形状の部分を有して光を透過させる導光部と、
マネキン人形の内側から前記導光部に向かう光を発生する発光部と
を備え、マネキン人形の顔面に装着した場合に、前記発光部が発生した光を、前記導光部を通じてマネキン人形の外部に射出するマネキン人形用部材。
【請求項２】
マネキン人形の履物を模した形状の部分を有して光を透過させる導光部と、
マネキン人形の内側から前記導光部に向かう光を発生する発光部と
を備え、マネキン人形の足に装着した場合に、前記発光部が発生した光を、前記導光部を通じてマネキン人形の外部に射出するマネキン人形用部材。
【請求項３】
前記発光部の発光強度および発光色の少なくとも一方を変化させる制御部を更に備える請求項１または２に記載のマネキン人形用部材。
【請求項４】
前記導光部を通じて入射した光信号により、前記発光部の発光強度および発光色の少なくとも一方を指定する指示を受け付ける受光部を更に備える請求項３に記載のマネキン人形用部材。
【請求項５】
前記導光部は、マネキン人形に対して着脱可能である請求項１から４のいずれか一項に記載のマネキン人形用部材。
【請求項６】
前記導光部は、半透明である請求項１から５のいずれか一項に記載のマネキン人形用部材。
【請求項７】
前記導光部は、前記発光部からマネキン人形の外部に射出される光の光路の少なくとも一部に、透過光を散乱させる拡散構造を有する請求項１から６のいずれか一項に記載のマネキン人形用部材。
【請求項８】
前記導光部は、アクリル樹脂、ポリ塩化ビニル樹脂（ＰＶＣ）、ポリエステル樹脂、ポリカーボネイト樹脂、ポリウレタン樹脂、硝酸セルロース樹脂（セルロイド）、シリコン樹脂、ポリスチレン（ＰＳ）、エポキシ樹脂、ポリエチレン樹脂（ＰＥ）、ポリエチレンテレフタレート樹脂（ＰＥＴ）、ＡＢＳ樹脂（アクリロ二トリル  ブタジェン  スチレン）、生分解プラスチック、およびポリ乳酸樹脂（ＰＬＡ）の少なくともひとつを含む請求項１から７のいずれか一項に記載のマネキン人形用部材。
【請求項９】
請求項１から８のいずれか一項に記載のマネキン人形用部材と、
前記マネキン人形用部材を装着された不透明な本体と
を備えるマネキン人形。
【発明の詳細な説明】
【技術分野】
【０００１】
本発明は、マネキン人形用部材およびマネキン人形に関する。
【背景技術】
【０００２】
人体を模した形状を有して全体に光る器具がある（例えば、特許文献１参照）。
特許文献１  特開２００６−０３５８３４号公報
【発明の概要】
【発明が解決しようとする課題】
【０００３】
上記器具においては、着せた衣服に光が透過することにより展示物を強調する効果が、薄い生地、あるいは、レース等の間隙の多い生地で形成された衣服に限って有効になる。
【課題を解決するための手段】
【０００４】
本発明の第１の態様においては、マネキン人形の口唇を模した形状の部分を有して光を透過させる導光部と、マネキン人形の内側から導光部に向かう光を発生する発光部とを備え、マネキン人形の顔面に装着した場合に、発光部が発生した光を、導光部を通じてマネキン人形の外部に射出するマネキン人形用部材が提供される。
【０００５】
本発明の第２の態様においては、マネキン人形の履物を模した形状の部分を有して光を透過させる導光部と、マネキン人形の内側から導光部に向かう光を発生する発光部とを備え、マネキン人形の足に装着した場合に、発光部が発生した光を、導光部を通じてマネキン人形の外部に射出するマネキン人形用部材が提供される。
【０００６】
本発明の第３の態様においては、上記のマネキン人形用部材と、マネキン人形用部材を装着された不透明な本体とを備えるマネキン人形が提供される。
【０００７】
上記の発明の概要は、本発明の特徴の全てを列挙したものではない。これら特徴群のサブコンビネーションもまた発明となり得る。
【図面の簡単な説明】
【０００８】
【図１】マネキン人形１００全体を示す図である。
【図２】マネキン人形１００の頭部２１０の部分断面図である。
【図３】マネキン人形１００のブロック図である。
【図４】マネキン人形１００の頭部２１０を示す部分拡大図である。
【図５】マネキン人形１００の脚部２４０の部分拡大図である。
【発明を実施するための形態】
【０００９】
続いて、発明の実施の形態を通じて本発明を説明するが、下記の実施形態は特許請求の範囲に係る発明を限定するものではない。実施形態の中で説明されている特徴の組み合わせの全てが発明の解決手段に必須であるとは限らない。
【００１０】
図１は、マネキン人形１００全体の形状を示す図である。マネキン人形１００は、本体２００、および台座２２０を備える。更に、本体２００は、頭部２１０、腕部２３０、脚部２４０、および胴部２５０を有し、全体として人体を模した形状と大きさを有する。本体２００は、台座２２０に対して固定されており、店舗等の床に安定に直立する。
【００１１】
本体２００は、少なくとも可視光帯域の光について不透明な樹脂、例えば繊維強化プラスチック（ＦＲＰ：Ｆｉｂｅｒ−Ｒｅｉｎｆｏｒｃｅｄ  Ｐｌａｓｔｉｃｓ）により形成される。ＦＲＰは、例えば、ガラス繊維で補強されたポリエステル樹脂であり、シリコン型、石膏型等を用いて成形される。
【００１２】
また、本体２００において、頭部２１０、腕部２３０、および脚部２４０は、胴部２５０から取り外すことができる構造を有する場合もある。この場合、腕部２３０等は、金型を用いて成形したポリ塩化ビニル（ＰＶＣ）樹脂等の脆性の低い材料で形成される場合もある。
【００１３】
マネキン人形１００は、頭部２１０の顔面に配された導光部３１０を更に備える。導光部３１０は、本体２００の顔面において、口唇に相当する位置を占めている。導光部３１０は、マネキン人形１００を展示している場合は本体２００に対して固定されているが、取り外すことができるように固定されていてもよい。ただし、後述するように、導光部３１０を固定する部材がマネキン人形１００の表面に表れない構造にしてもよい。これにより、質感の相違以外は、本体２００および導光部３１０の一体感が高くなりマネキン人形１００の美観が増す。
【００１４】
また、マネキン人形１００は、脚部２４０下端近傍の足部に配された他の導光部５１０を更に備える。導光部５１０は、本体２００の足先において、履物に相当する位置を占めている。導光部５１０は、マネキン人形１００を展示している場合は本体２００に対して固定されているが、取り外すことができるように固定されていてもよい。ただし、導光部５１０を固定する部材が目立たないように、足裏等に取り付け構造を設けてもよい。また、導光部５１０を接着剤により脚部２４０に対して一体化してもよい。
【００１５】
図２は、マネキン人形１００の部分断面図である。同図は、マネキン人形１００の頭部２１０を正中線に沿って切った断面を、口唇付近の一部について示す。
【００１６】
マネキン人形１００は、導光部３１０を含むマネキン人形用部材３００を備える。マネキン人形用部材３００は、導光部３１０の他に、基板３２０、ブラケット部３３０、スペーサ３４０、止め具３５０、および電源線３２４を有する。
【００１７】
導光部３１０は、マネキン人形１００の顔面における口唇部において、本体２００を表裏に貫通する穴にはめ込まれており、本体２００の内外に連通している。導光部３１０の一端は、口唇を模した形状を有する露出面３１１を形成し、本体２００の外面に露出する。導光部３１０の他端は、平坦な背面３１２を形成する。
【００１８】
また、導光部３１０は、露出面３１１と背面３１２の中間に、断面積が急峻に変化する段差３１３を有する。段差３１３の前後において、露出面３１１側は、背面３１２側よりも大きな径を有する。また、本体２００に形成された穴の内面は、段差３１３と相補的な形状を有する。これにより、本体２００の外側からはめ込まれた導光部３１０は、本体２００に対して予め定められた深さまで嵌まり込んだ状態で位置決めされる。
【００１９】
導光部３１０は、少なくとも可視光を透過する透明または半透明な材料、例えば樹脂材料により形成されている。より具体的には、導光部３１０は、アクリル樹脂、ポリ塩化ビニル樹脂（ＰＶＣ）、ポリエステル樹脂、ポリカーボネイト樹脂、ポリウレタン樹脂、硝酸セルロース樹脂（セルロイド）、シリコン樹脂、ポリスチレン（ＰＳ）、エポキシ樹脂、ポリエチレン樹脂（ＰＥ）、ポリエチレンテレフタレート樹脂（ＰＥＴ）、ＡＢＳ樹脂（アクリロ二トリル・ブタジェン・スチレン）、生分解プラスチック、およびポリ乳酸樹脂（ＰＬＡ）の少なくともひとつを含む。また、導光部３１０は、ガラスにより形成してもよい。
【００２０】
上記のように透光性を有する導光部３１０は、透明な材料で形成した場合であっても、表面の粗面化加工または拡散材の添加等により半透明化してもよい。これにより、導光部３１０を通じて、本体２００の外部から、本体２００の内部が覗かれることを防止できる。また，後述するように基板３２０上の発光部３２３が発光した場合に、導光部３１０の露出面３１１における輝度を均一化できる。
【００２１】
透明な材料で形成された導光部３１０を半透明化する方法としては、添加物として透過光を拡散させる拡散材料、例えば、白色の粉末等を導光部３１０の材料に混入してもよい。また、導光部３１０の露出面３１１および背面３１２の少なくとも一方を加工して粗面化してもよい。更に、露出面３１１および背面３１２の間に、導光部３１０に半透明のシート、板材等を挿入してもよい。
【００２２】
マネキン人形用部材３００において、基板３２０は、導光部３１０の背面近傍に、背面と平行に配される。図示の例では、基板３２０は、導光部３１０の背面３１２よりも広い面積を有する。また、基板３２０は、導光部３１０の背面３１２に対向する側に、受光部３２１および発光部３２３を実装される。更に、基板３２０は、受光部３２１および発光部３２３が実装された面と反対側の面に、制御部３２２を実装される。
【００２３】
なお、基板３２０上の受光部３２１は、導光部３１０を通じて、マネキン人形１００の外部のリモコン４００が発信した光信号を受光する。従って、導光部３１０は、リモコン４００が発生する光信号を透過する材料により形成される。光信号としては、赤外帯域の光パルス信号を例示できる。また、基板３２０は、電源線３２４を通じて、マネキン人形１００の外部から電力を供給される。
【００２４】
複数のブラケット部３３０は、導光部３１０の背面３１２から突出して、導光部３１０の背面３１２に対して一端を固定されている。よって、基板３２０をブラケット部３３０の他端に当接させた場合、受光部３２１および発光部３２３を導光部３１０の背面３１２に接触させることなく、基板３２０を背面３１２は平行に位置決めできる。
【００２５】
更に、ブラケット部３３０は、止め具３５０と嵌合する嵌合穴を有する。よって、ブラケット部３３０に対応する位置で基板３２０に設けた穴に止め具３５０を挿通してブラケット部３３０と嵌合させることにより、基板３２０を導光部３１０に対して固定して、導光部３１０および基板３２０を一体化できる。止め具３５０としては、タッピングねじ等を用いることができる。また、止め具３５０として、プッシュリベット、ホック、マグネット等を用いることにより、本体２００の内部における基板３２０の固定作業の作業性を向上できる。
【００２６】
複数のスペーサ３４０は、一端を基板３２０に固定され、基板３２０の表面から本体２００の内面に向かって突出している。スペーサ３４０は弾性を有する材料により形成され、基板３２０がブラケット部３３０に対して固定された場合に、本体２００の内面に押しつけられる。これにより、導光部３１０の段差３１３とスペーサ３４０との間に本体２００を挟んで、一体化された導光部３１０および基板３２０を、本体２００に対して固定できる。こうして、マネキン人形用部材３００は、本体２００と一体化され、図１に示したマネキン人形１００が形成される。
【００２７】
なお、上記の例では、止め具３５０を抜くことにより、いったん取り付けたマネキン人形用部材３００を本体２００から取り外すことができる。しかしながら、マネキン人形用部材３００を、接着剤等により本体２００に固定してもよい。更に、マネキン人形用部材３００のうち、導光部３１０のみを本体２００に固定し、基板３２０のみを交換可能にしてもよい。
【００２８】
また、上記の例では、いわば、導光部３１０と基板３２０とで本体２００を挟む構造としたが、マネキン人形用部材３００を固定する構造はこのような構造に限られるわけではない。例えば、やはり導光部３１０および基板３２０が一体化されたマネキン人形用部材３００において、導光部３１０と本体２００とを直接に嵌め合い構造としてもよい。また、マネキン人形用部材３００全体を、本体２００の内側から穴に挿入して取り付ける構造にしてもよい。
【００２９】
図３は、マネキン人形用部材３００における基板３２０の構造と機能を説明するブロック図である。基板３２０において、受光部３２１は、フォトダイオード等の受光素子を含み、リモコン４００から発信された光信号を受光して、外部のリモコン４００からの光信号による指示を受け付ける。制御部３２２は、受光部３２１が受け付けた指示に従って発光部３２３を駆動する。
【００３０】
発光部３２３は、発光ダイオード等の発光素子を含み、受光部３２１がリモコン４００から受信した指示に従って発光する。ここで、受光部３２１が受け付ける指示は、発光素子の消灯を含む発光強度と、その点灯または消灯のタイミングを含む。また、発光部３２３が、三原色等の複数色の発光素子を含む場合に、発光素子の発光強度のバランスを変化させることにより、外部に対する発光色を切り替えてもよい。更に、時間の経過と共に、外部に対する発光色が変化するように駆動してもよい。
【００３１】
また、発光部３２３は、例えば白色の発光素子とカラーフィルタとを用いて、カラーフィルタを機械的に交換することにより発光色を変化させてもよい。また更に、複数の色が混在するカラーフィルタを用いて、複数の色が混在する発光パターンを形成してもよい。
【００３２】
なお、基板３２０上の受光部３２１、制御部３２２、および発光部３２３を駆動する電力は、図示の例では、マネキン人形１００の外部の電源３２５から電源線３２４を介して供給される。電源３２５は、商用電源、電池、ソーラセル等を用いることができる。
【００３３】
図４は、上記のようなマネキン人形用部材３００を備えたマネキン人形１００の頭部を拡大して示す斜視図である。図示のように、マネキン人形１００は、マネキン人形用部材３００の基板３２０において発光部３２３が発生した光を、導光部３１０が拡散しつつ、本体２００の外部に射出する。これにより、マネキン人形１００の口唇が全体に略均一な輝度で発光する。
【００３４】
マネキン人形１００の口唇が発光した場合、まず、導光部３１０の露出面３１１の輝度が本体２００よりも高いことにより目立つという効果がある。更に、発光する口唇は加法混合により彩色されることになるので、塗装等の減色混合による彩色よりも広いカラースペースから表示色を選択できる。よって、殊更輝度を上げることなく、口唇の存在を際立たせることができる。
【００３５】
これにより、マネキン人形１００は、口唇が発光しないものに比較して、店舗、ショウウインドウ等で注目を集めやすくなる。ここで、マネキン人形１００に注目した観察者が注目対象を口唇であると認識した場合、観察者は反射的に聴覚に注意を集中する。このため、口唇への注目から解放された観察者の視覚が、マネキン人形１００の他の部分、例えば衣服に注目を移しやすくなる。こうして、注目を集めつつも、マネキン人形１００自体が目立つことは本意ではないというジレンマを回避できる。
【００３６】
図５は、マネキン人形１００の部分断面図である。同図は、マネキン人形１００の脚部２４０における足首付近から先の足部２４１について縦断面を示す。
【００３７】
マネキン人形１００は、導光部５１０を含むマネキン人形用部材５００を備える。マネキン人形用部材５００は、足部２４１の一部により一体化された導光部５１０および基板３２０を備える。足部２４１は、継ぎ目２４２において脚部２４０の下端に連結されており、マネキン人形１００において、足首付近から先の部分を形成する。
【００３８】
なお、足部２４１は、脚部２４０に対して着脱可能にしてもよい。これにより、足部２４１に形成されたマネキン人形用部材５００を他に用意したものと交換して、導光部５１０の形状を様々な履物に対応させることができる。足部２４１の脚部２４０に対する固定は、嵌め合い、ねじ込み、接着等、種々の方法を選択できる。
【００３９】
導光部５１０は、足部２４１の図中下端に接着されており、足部２４１と一体化している。導光部５１０の一部は、足部２４１の下端部として、マネキン人形１００の外部に向かって露出する露出面５１１をなす。露出面５１１は、マネキン人形１００が履いた履物を模した履物様の形状を有し、導光部５１０を含むマネキン人形１００の足部２４１は、履物を履いた状態の形状となる。また、足部２４１の内側は空洞をなし、導光部５１０の背面５１２は，マネキン人形１００の内部に露出する。
【００４０】
導光部５１０は、少なくとも可視光帯域の光を透過する透明または半透明な材料、例えば樹脂材料により形成されている。より具体的には、導光部５１０は、アクリル樹脂、ポリ塩化ビニル樹脂（ＰＶＣ）、ポリエステル樹脂、ポリカーボネイト樹脂、ポリウレタン樹脂、硝酸セルロース樹脂（セルロイド）、シリコン樹脂、ポリスチレン（ＰＳ）、エポキシ樹脂、ポリエチレン樹脂（ＰＥ）、ポリエチレンテレフタレート樹脂（ＰＥＴ）、ＡＢＳ樹脂（アクリロ二トリル・ブタジェン・スチレン）、生分解プラスチック、およびポリ乳酸樹脂（ＰＬＡ）の少なくともひとつを含む。また、導光部５１０は、ガラスにより形成してもよい。
【００４１】
上記のように透光性を有する導光部５１０は、透明な材料で形成した場合であっても、表面の粗面化加工または拡散材の添加等により半透明化してもよい。これにより、導光部５１０を通じて、本体２００の外部から、本体２００の内部が覗かれることを防止できる。また，後述するように基板３２０上の発光部３２３が発光した場合に、導光部５１０の露出面５１１における輝度を均一化できる。
【００４２】
透明な材料で形成された導光部５１０を半透明化する方法としては、添加物として透過光を拡散させる拡散材料、例えば、白色または金属色の粉末等を導光部５１０の材料に混入してもよい。また、導光部５１０の露出面５１１および背面５１２の少なくとも一方を加工して粗面化してもよい。更に、露出面５１１および背面５１２の間で、導光部５１０に半透明のシート、板材等を挿入してもよい。
【００４３】
マネキン人形用部材５００において、基板３２０は、導光部５１０の背面５１２に対向した向きで配される。基板３２０は、足部２４１の内面に形成されたブラケット部５３０に対して、止め具５５０で固定される。すなわち、ブラケット部５３０は、止め具５５０と嵌合する嵌合穴を有する。よって、ブラケット部５３０に対応する位置で基板３２０に設けた穴に止め具５５０を挿通してブラケット部５３０と嵌合させることにより、基板３２０を足部２４１に対して固定して、足部２４１および導光部５１０と一体化できる。止め具５５０としては、タッピングねじ、プッシュリベット、ホック、マグネット等を用いてもよい。
【００４４】
基板３２０は、導光部５１０の背面５１２に対向する側に、受光部３２１および発光部３２３を実装される。発光部３２３は、複数の発光素子を含んでもよい。受光部３２１は、導光部５１０の背面５１２に向かって発光する向きに配される。また、受光部３２１は、足部２４１の踵に向かうように、基板３２０の実装面に対して角度をもって実装される。更に、基板３２０には、受光部３２１および発光部３２３が実装された面と反対側の面に、制御部３２２が実装される。
【００４５】
基板３２０上の受光部３２１は、導光部５１０を通じて、マネキン人形１００の外部のリモコン４００が発信した光信号を受光する。従って、導光部５１０は、リモコン４００が発生する光信号を透過する材料により形成される。光信号としては、赤外帯域の光パルス信号を例示できる。また、基板３２０は、電源線３２４を通じて、マネキン人形１００の外部から電力を供給される。
【００４６】
マネキン人形用部材５００における基板３２０の機能は、図３に示したマネキン人形用部材３００のものと同等なので、重複する説明は省く。なお、上記の例では、導光部５１０を足部２４１に対して固定する構造を有する。しかしながら、脱着可能な方法で導光部５１０を固定して、交換可能な構成としてもよい。また、上記の例では、導光部５１０および基板３２０をそれぞれ足部２４１に対して固定する構造としたが、例えば、基板３２０を導光部５１０に対して固定する等、他の固定構造も採り得ることはもちろんである。
【００４７】
上記のようなマネキン人形用部材５００を備えたマネキン人形１００は、マネキン人形用部材５００の基板３２０において発光部３２３が発生した光を、導光部５１０が拡散しつつ、本体２００の外部に射出する。これにより、マネキン人形１００の履物に相当する部分が全体に略均一な輝度で発光する。
【００４８】
マネキン人形１００の履物が発光した場合、まず、導光部５１０の露出面５１１の輝度が本体２００よりも高いことにより目立つという効果がある。更に、発光する口唇は加法混合により彩色されることになるので、塗装等の減色混合による彩色よりも広いカラースペースから表示色を選択できる。よって、殊更輝度を上げることなく、マネキン人形１００の存在を際立たせることができる。
【００４９】
なお、マネキン人形用部材５００における導光部５１０が模す履物の形状は、図示の例に限られず、他の形式の履物であってもよい。また、導光部５１０の形状は、具体的な履物を模したものではなく、足先あるいは爪先を示す形状であれば、抽象的な形状であってもよい。更に、図示の例では、導光部５１０の下面を台座２２０に固定してマネキン人形１００を支持する構造になっているが、補助的な支柱を設けて、足裏の他の部分や下肢の他の部分、あるいは、腰部等でマネキン人形１００の本体２００を支持する構造にしてもよい。
【００５０】
上記のような構造により、マネキン人形用部材５００を備えたマネキン人形１００は、該当部分が発光しないものに比較して、店舗、ショウウインドウ等で注目を集めやすくなる。更に、マネキン人形１００の足元に注目した観察者が履物部分だけを注目し続けることはなく、やがて、視線をマネキン人形１００全体に移す。これにより、注目を集めつつも、マネキン人形１００自体が目立つことは本意ではないというジレンマを回避できる。
【００５１】
上記の例では、人の全身を模したマネキン人形１００を例に挙げて説明した。しかしながら、マネキン人形１００の本体２００は、頭部２１０、腕部２３０、および脚部２４０を完備したものに限られない。例えば、頭部２１０付きトルソ、頭部２１０および脚部２４０付きトルソ、頭部２１０および腕部２３０付きトルソ等、頭部２１０が設けられていれば、マネキン人形用部材３００を取り付けて、マネキン人形用部材３００の機能を享受できる。更に、装飾品やかつらを展示する場合には、頭部２１０を単独で本体２００にしてもよい。また、マネキン人形１００が脚部２４０さえ備えていれば、頭部２１０および腕部２３０が無い場合であっても、マネキン人形用部材５００を装着できる。
【００５２】
また、マネキン人形１００の本体２００の材料はＦＲＰに限られるわけではなく、頭部２１０、腕部２３０、脚部２４０、および胴部２５０の一部が、ブロー成形等によるポリプロピレン樹脂、ＡＢＳ樹脂、スチロール樹脂等で形成されていてもよい。更に、頭部２１０、腕部２３０、脚部２４０、および胴部２５０の少なくともひとつが、他の部分と異なる材料、例えば、自然石、模造石、木材、皮革、金属等で形成されていてもよい。
【００５３】
また更に、マネキン人形１００の顔面には、目、鼻、眉等が描かれていてもよいし、義眼、かつら等を装着してもよい。一方、マネキン人形用部材３００以外の顔の要素を省略して、口唇を強調してもよい。
【００５４】
また、上記の例では、マネキン人形用部材３００に受光部３２１を設けて、光信号を発生するリモコン４００により、受光部３２１を介して制御部３２２に指示を入力した。しかしながら、制御部３２２による制御の設定は、他の方法でもよい。
【００５５】
例えば、マネキン人形１００から離れているリモコン４００を用いることを前提とした場合であっても指示の伝達方法は光信号に限られず、電波、超音波等によりマネキン人形１００の本体２００の内部に指示を伝えてもよい。また、指示を伝える場合の通信プロトコルとしても、任意に定めた独自方式の他、光信号であればＩｒＤＡ、電波であればブルートゥース（登録商標）、ＮＦＣ（Ｎｅａｒ  ｆｉｅｌｄ  ｃｏｍｍｕｎｉｃａｔｉｏｎ）、Ｗｉ−Ｆｉ（ＩＥＥＥ８０２．１１規格）等を使用できる。この場合は、基板３２０において、受光部３２１に換えて受信機が実装される。リモコン４００としても、専用のリモコンユニットの他、スマートホン、タブレット端末等を用いてもよい。
【００５６】
また、制御部３２２は、リモコン４００を用いることなく設定を受けつける構造にしてもよい。例えば、マネキン人形１００の目立たないところに、ＲＪ−４５（ｒｅｇｉｓｔｅｒｅｄ  ｊａｃｋ  ４５）、ＵＳＢ（Ｕｎｉｖｅｒｓａｌ  Ｓｅｒｉａｌ  Ｂｕｓ）等等の通信端子を設けて、有線接続により制御部３２２に設定を入力してもよい。この場合にマネキン人形１００に接続する入力装置としては、例えばパーソナルコンピュータを用いてもよい。これにより、発光部３２３の発光パターンをより複雑にプログラムすることができる。
【００５７】
また、マネキン人形１００自体に、スイッチ、操作盤、センサ等を設けて、制御部３２２が自律的に発光部３２３を駆動するようにしてもよい。例えば、当初は分離されていた頭部２１０、腕部２３０、脚部２４０、および胴部２５０が組み立てられた場合に、組み立てが完了したことを契機として発光部３２３が発光を開始するようにしてもよい。また、マネキン人形１００にセンサを組み込んで、周囲の明るさ、騒音レベル、気温、時刻等に応じて、発光部３２３の点滅、発光強度、発光色、点滅のタイミング、発光色の切り替えのタイミング等が変化するようにしてもよい。更に、電気回路の温度上昇、サージノイズ、衝撃等を検出して、発光部３２３の動作を停止する安全装置を設けてもよい。
【００５８】
また、上記の例では、発光部３２３の発光素子として発光ダイオード（ＬＥＤ）を例示した。しかしながら、他の発光素子、例えば有機ＥＬ（ＯＥＬ：Ｏｒｇａｎｉｃ  Ｅｌｅｃｔｒｏ−Ｌｕｍｉｎｅｓｃｅｎｃｅ）、冷陰極管等を用いることができる他、本体２００の耐熱性、放熱性等の状況が許せば、白熱電球、蛍光灯、ネオン放電管等を用いてもよい。
【００５９】
また、図２には電源線３２４の先端にプラグ様のものを示した。しかしながら、電源線３２４と電源３２５との接続は、電磁誘導、電界結合等を用いた非接触給電でもよい。この場合、例えば、台座２２０に給電コイル等を仕込めば、マネキン人形１００の外観に対する接続部の影響も排除できる。また、電源３２５としても、商用電源の他、バッテリー、ソーラセル等を用いてもよい。
【００６０】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００６１】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００６２】
１００  マネキン人形、２００  本体、２１０  頭部、２２０  台座、２３０  腕部、２４０  脚部、２４１  足部、２４２  継ぎ目、２５０  胴部、３００、５００  マネキン人形用部材、３１０、５１０  導光部、３１１、５１１  露出面、３１２、５１２  背面、３１３  段差、３２０  基板、３２１  受光部、３２２  制御部、３２３  発光部、３２４  電源線、３２５  電源、３３０、５３０  ブラケット部、３４０  スペーサ、３５０、５５０  止め具、４００  リモコン
【図１】
2020018602.tif 000003
【図２】
2020018602.tif 000004
【図３】
2020018602.tif 000005
【図４】
2020018602.tif 000006
【図５】
2020018602.tif 000007